(57)【要約】      （修正有）【課題】記録紙の除電を、除電用ブラシを使用することなく簡素な構造にて行うとともに、消費電力の小さい画像形成装置を提供すること。【解決手段】装置内の空気を装置外に放出する空気放出手段８２０と、イオンを生成するイオン生成手段８１０とを有し、空気放出手段がイオン生成手段により生成されたイオンとともに装置外に放出した空気に記録紙を接触させて除電する。【選択図】図１
2010139710.tif 000002
【特許請求の範囲】
【請求項１】
トナー像を形成し、記録紙にトナー像を転写する画像形成部と、
記録紙に転写されたトナー像を加熱により定着する定着部と、
記録紙を、前記画像形成部および前記定着部を経由して搬送し、装置外に排出する記録紙搬送部と、
装置内の空気を装置外に放出する空気放出手段と、
イオンを生成するイオン生成手段と、
を有し、
前記空気放出手段が前記イオン生成手段により生成されたイオンとともに装置外に放出した空気に記録紙を接触させて該記録紙を除電する
ことを特徴とする画像形成装置。
【請求項２】
前記イオン生成手段は、記録紙の排出に連動して動作することを特徴とする請求項１に記載の画像形成装置。
【請求項３】
前記空気放出手段は、前記イオン生成手段が動作しているときに動作し、前記イオン生成手段が動作していないときは装置内の温度が所定の値以上のときに動作することを特徴とする請求項１または２に記載の画像形成装置。
【発明の詳細な説明】
【技術分野】
【０００１】
本発明は電子写真方式による画像形成装置における記録紙の除電に関するものである。
【背景技術】
【０００２】
電子写真方式による画像形成装置では、装置内を搬送される記録紙に、トナー像を転写し、トナー像を転写された記録紙を加熱、定着して装置外に排出し、排紙トレイに載置する。
【０００３】
記録紙は、画像形成の過程においてコロナチャージを受けたり、帯電されたトナーが転写されたり、さらには記録紙が搬送過程において、案内部材等の、周囲の絶縁体と摺擦されるため、静電気が帯電されやすい。
【０００４】
静電気が帯電した記録紙は絶縁物と吸着しやすくなるため、それをそのまま排出すると、先に排出されて排紙トレイに載置されている記録紙に次の記録紙が吸着し、先に排出された記録紙を押し出して排紙トレイに積載された記録紙の整合を乱してしまったり、先に排出された記録紙を排紙トレイから落としてしまったりするような不具合を発生させることがある。また、排出され重なり合った用紙どうしが静電気的に吸着して、取り扱いに不便を感じさせることもある。
【０００５】
そこで、記録紙の搬送経路に導電部材で形成された除電用ブラシを配設し、記録紙に接触させることによって、記録紙の帯電を除去（以下、除電、とも記す。）することが行われる（特許文献１参照）。
【０００６】
この、除電用ブラシによる記録紙の除電は、記録紙が除電用ブラシに摺擦しつつ移動するので、摺擦による騒音を発生させる、また、ブラシの摩耗や抜けが発生しやすくメンテナンスを頻繁に行う必要がある、等の問題がある。
【０００７】
このような、除電用ブラシの使用による問題を回避するため、排紙トレイに対向してイオン生成手段と送風手段とを配し、排紙トレイに載置された記録紙にイオンを含む風を吹き付けて接触させて除電する技術が開示されている（特許文献２参照）。
【特許文献１】特開平６−２９７８０７号公報
【特許文献２】特開２００６−３４３４９１号公報
【発明の開示】
【発明が解決しようとする課題】
【０００８】
特許文献２に記載されている技術は、イオンを含む風を吹き付けるためのイオン生成手段と専用の送風手段とを排紙トレイに対向して配設するもので、画像形成装置の構造を複雑にするとともに、電力消費量の増加が避けられない。
【０００９】
本発明は、このような状況に鑑みてなされたもので、記録紙の除電を、除電用ブラシを使用することなく簡素な構造にて行うとともに、消費電力の小さい画像形成装置を提供することを課題とする。
【課題を解決するための手段】
【００１０】
上記課題は、以下の手段により達成される。
【００１１】
１．トナー像を形成し、記録紙にトナー像を転写する画像形成部と、
記録紙に転写されたトナー像を加熱により定着する定着部と、
記録紙を、前記画像形成部および前記定着部を経由して搬送し、装置外に排出する記録紙搬送部と、
装置内の空気を装置外に放出する空気放出手段と、
イオンを生成するイオン生成手段と、
を有し、
前記空気放出手段が前記イオン生成手段により生成されたイオンとともに装置外に放出した空気に記録紙を接触させて該記録紙を除電する
ことを特徴とする画像形成装置。
【００１２】
２．前記イオン生成手段は、記録紙の排出に連動して動作することを特徴とする前記１に記載の画像形成装置。
【００１３】
３．前記空気放出手段は、前記イオン生成手段が動作しているときに動作し、前記イオン生成手段が動作していないときは装置内の温度が所定の値以上のときに動作することを特徴とする前記１または２に記載の画像形成装置。
【発明の効果】
【００１４】
本発明により、記録紙の除電を、除電用ブラシを使用することなく簡素な構造にて行うとともに、消費電力の小さい画像形成装置を提供できる。
【発明を実施するための最良の形態】
【００１５】
以下、図面を参照しながら、本発明の実施の形態の一例である画像形成装置を説明する。
【００１６】
図１は、本発明の実施の形態の一例である画像形成装置を説明する図である。
【００１７】
画像形成装置１０は電子写真方式により記録紙に画像や文字をプリントして排出する画像形成装置である。
【００１８】
画像形成装置１０は、原稿読み取り部１００、画像処理部２００（図２に表示）、画像書き込み部３００、画像形成部４００、転写部５００、定着部６００、給紙搬送部７００、操作表示部９０、および、制御部９００を備えている。給紙搬送部７００は記録紙搬送部として機能する。
【００１９】
操作表示部９０からは、画像形成装置１０を動作させるための条件、たとえば画像形成を行う記録紙の枚数、サイズ等を、ジョブ情報として入力することができる。
【００２０】
制御部９００は、画像形成装置１０の各部の動作を制御する制御手段であり、操作表示部９０から入力されたジョブ情報を踏まえて、各部が実行する一連の画像形成の動作を制御する。
【００２１】
画像形成装置１０の上部には、自動原稿送り装置ＤＦが搭載されている。自動原稿送り装置ＤＦの原稿台上に載置された原稿ｄは矢印方向に搬送され、原稿読み取り部１００の光学系により原稿の画像が読みとられ、画像情報が取得される。
【００２２】
取得された画像情報は、画像処理部にて必要な画像処理がなされ、画像書き込み部３００に送付される。
【００２３】
画像書き込み部３００は、半導体レーザにて、画像処理がなされた画像情報に基づく出力光を画像形成部４００の感光体ドラム４１０に照射し、感光体ドラム４１０に潜像を形成する。感光体ドラム４１０に形成された潜像は画像形成部４００の現像器４５０により現像され、トナー像となる。
【００２４】
感光体ドラム４１０上のトナー像は、転写部５００にて、給紙搬送部７００により搬送された記録紙Ｓに転写される。
【００２５】
転写されたトナー像を担持した記録紙Ｓは、給紙搬送部７００により、定着部６００に搬送される。
【００２６】
定着部６００はローラ対６１０と、ローラ対６１０を加熱するヒータ６２０を有し、ローラ対６１０にてトナー像を担持した記録紙Ｓを挟持して加熱することにより、トナー像を記録紙Ｓに定着する。
【００２７】
トナー像が定着された記録紙Ｓは、給紙搬送部７００により搬送され、記録紙排出口１５から画像形成装置１０の装置外に排出され、排紙トレイ１７に載置される。
【００２８】
排紙センサ８４０は、記録紙排出口１５の近傍に配置され、定着がなされて記録紙排出口１５に向けて搬送される記録紙の先端と後端を検知する記録紙検知手段である。
【００２９】
図中、８１０はイオン生成手段として機能するイオン発生器、８２０は空気放出手段として機能するファン、８３０は温度センサ、８４０は排紙センサである。
【００３０】
イオン発生器８１０は、たとえば、コロナ放電あるいは電磁波の照射等、周知の手段によりイオンを生成するイオン生成手段である。
【００３１】
また、１１は、画像形成装置１０の図示左側面の記録紙排出口１５の上方に配された空気放出口、１２は、画像形成装置１０の図示右側面に配された空気取り入れ口である。
【００３２】
ファン８２０は、非図示のモータ８２０Ｍにより駆動される羽根車を備え、モータ８２０Ｍを回転することにより、画像形成装置１０の装置内の空気を吸引し、空気放出口１１から放出する。
【００３３】
前述のように、画像形成装置１０の定着部６００はヒータ６２０を有し、ヒータ６２０の発する熱は、ローラ対６１０を経て記録紙Ｓを加熱してトナー像を定着するが、一部は画像形成装置１０の装置内に放射され、画像形成装置１０の装置内の温度を上昇せしめる。画像形成装置１０には、定着部６００のほかにも画像形成動作に伴い熱を発生し、装置内の温度を上昇せしめる部材を有する。
【００３４】
ファン８２０は、動作することにより、画像形成装置１０の装置内の空気を空気放出口１１から放出する。画像形成装置１０においては、ファン８２０は、装置内の温度が所定の値を越えているとき動作するように構成されている。ファン８２０が動作するとき、空気取り入れ口１２からは、空気放出口１１から放出された空気の量に見合う空気が装置内に取り入れられ、画像形成装置１０の装置内は所定の温度範囲に保たれる。
【００３５】
そして、ファン８２０が動作により空気放出口１１から放出される空気の流れ（以下、エアフロー、とも記す）が、排紙トレイ１７に向かうように、ファン８２０が画像形成装置１０に取り付けられている。
【００３６】
記録紙排出口１５から排出される記録紙Ｓは、記録紙排出口１５から順次露呈される部位がエアフローに接触されつつ排紙トレイ１７に載置される。
【００３７】
温度センサ８３０は、画像形成装置１０の装置内の温度を計測し、計測結果に基づく装置内の温度情報を発信する温度計測手段である。ファン８２０は、温度センサ８３０により計測された画像形成装置１０の装置内の温度を踏まえて動作する。
【００３８】
イオン生成手段として機能するイオン発生器８１０は、ファン８２０の空気吸引側に配置されている。
【００３９】
イオン発生器８１０により生成されたイオンは、ファン８２０により画像形成装置１０の装置内の空気とともに吸引され、排紙トレイ１７に向かうエアフローとして空気放出口１１から放出される。
【００４０】
記録紙排出口１５から排出され排紙トレイ１７に向かう記録紙Ｓは、エアフローに接触され、エアフローに含まれるイオンにより帯電が中和され、除電される。
【００４１】
以上述べたように、本実施の形態の画像形成装置１０は、イオンを含むエアフローを記録紙Ｓに接触させて除電を行うに際し、エアフローの生成を、ファン８２０により行う。
【００４２】
ファン８２０は、画像形成装置１０の装置内の温度を所定の範囲に保つために必要とされるファンであり、このようなファンを記録紙Ｓの除電のためのエアフロー生成手段として機能させることにより、イオンを含むエアフロー生成のための独立した送風手段が不要であり、画像形成装置１０の構成を簡素なものとしている。また、消費電力も小さいものとすることができる。
【００４３】
本実施の形態の画像形成装置１０は、イオン発生器８１０、および、ファン８２０は、記録紙Ｓが画像形成装置１０のから排出されるときに動作し、記録紙Ｓを除電する。
【００４４】
図２は、画像形成装置１０の制御系を示すブロック図である。
【００４５】
画像形成装置１０の制御部９００は、画像形成装置１０が、画像形成を行うに際し、原稿の読み取り、画像処理、記録紙への画像形成、定着、および、記録紙の給紙、搬送、排紙等の動作を制御するものである。
【００４６】
制御部９００は、ＣＰＵ９１０、ＲＯＭ９２０、ＲＡＭ９３０、を有するコンピュータシステムである。
【００４７】
ＣＰＵ９１０は、ＲＯＭ９２０に収納されたプログラムを実行することにより画像形成装置１０を動作させる。そして、操作表示部９０から入力されたジョブ情報に基づいて画像形成装置１０の各部の動作を制御してジョブを実行させるとともに、イオン発生器８１０、および、ファン８２０を動作させるタイミングを制御する。
【００４８】
ＲＯＭ９２０は、ＣＰＵ９１０が画像形成装置１０を動作させるプログラムと、その制御に必要な定数、たとえば、ファン８２０を動作させる閾値ｔを収納している。
【００４９】
閾値ｔは、画像形成装置１０の装置内温度を所定の範囲に保つために予め設定された温度値で、の温度が閾値ｔを越えているときはファン８２０を動作させて、装置内の空気を排出するとともに装置外から空気を取り入れて装置内の温度を所定の範囲に保つように設定されている。
【００５０】
ＲＡＭ９３０は、ＣＰＵ９１０が画像形成装置１０を動作させるに際して生成、あるいは取得したデータの書込、読み出し、および消去が可能な記憶手段である。また、ＲＡＭ９３０は、ジョブ実行に際し画像形成を行った記録紙の枚数を記憶するカウンタとしても機能する。
【００５１】
ＣＰＵ９１０は、操作表示部９０よりユーザにより入力されたジョブの内容に従って原稿読み取り部１００に原稿の画像の読み取りを行わせ、次に、読み取った画像データを画像処理部２００にて処理させる。そして、処理後の画像データを画像書き込み部３００にて画像形成部４００の感光体ドラム４１０に照射させて、潜像を形成させ、現像器４５０にてトナー像となす。そして、トナー像を転写部５００にて、給紙搬送部７００により搬送されてきた記録紙Ｓに画像を転写させ、定着部６００にて定着した後、装置外に排出させる。
【００５２】
排紙センサ８４０は、記録紙排出口１５の近傍に配置され、排出される記録紙が記録紙排出口１５の近傍に搬送されてきたとき、その搬送方向の先端（以下、先端、とも記す。）と搬送方向の後端（以下、後端、とも記す。）を検知する記録紙検知手段である。
【００５３】
排紙センサ８４０は、排出される記録紙Ｓの先端を検知したときは先端検知信号を発信し、その後端を検知したときは後端検知信号を発信する。
【００５４】
ＣＰＵ９１０は、排紙センサ８４０の先端検知信号、あるいは後端検知信号を得てイオン発生器８１０の動作を制御する。イオン発生器８１０の動作によりイオンが生成される。
【００５５】
温度センサ８３０は画像形成装置の装置内の温度を計測し、計測結果に基づく温度情報を発信する温度計測手段である。
【００５６】
ＣＰＵ９１０は、ＲＯＭ９２０に収納されたプログラムに基づく所定のタイミングにてファン８２０を動作させるとともに、排紙センサ８４０から発信された装置内の温度情報と、ＲＯＭ９２０に収納されている閾値ｔとを比較して、装置内の温度が閾値ｔを越えているときにファン８２０を動作させる。
【００５７】
ファン８２０の動作により、画像形成装置１０の装置内の空気がエアフローとして空気放出口１１から放出される。このエアフローには、イオン発生器８１０が動作中のときはイオンが含まれる。
【００５８】
このＣＰＵ９１０が制御するイオン発生器８１０とファン８２０の動作について説明する。
＜実施の形態１＞
図３は、ＣＰＵ９１０によりなされるイオン発生器８１０とファン８２０の動作の流れを説明するフローチャートである。
【００５９】
図３に示されるように、ＣＰＵ９１０は、ステップＳ１にて、ユーザにより操作表示部９０からジョブ情報の入力がなされ、スタートボタンがＯＮされると、ステップＳ２に移行し画像形成を開始する。なお、入力されるジョブ情報には、少なくとも、画像形成を行い出力する記録紙の枚数が含まれる。
【００６０】
ステップＳ２にて、ＣＰＵ９１０は、入力されたジョブ情報に基づいて、原稿読み取り部１００、画像処理部２００、画像書き込み部３００、画像形成部４００、転写部５００、給紙搬送部７００、定着部６００を動作させて、入力されたジョブ情報に基づく画像形成を行い、画像形成および定着がなされた記録紙を排紙トレイ１７に排出する。また、画像形成の開始とともに、イオン発生器８１０とファン８２０とを動作させる。イオン発生器８１０とファン８２０との動作により、空気放出口１１からイオンを含む空気が排紙トレイ１７に向かうエアフローとして放出される。空気放出口１１から放出されるエアフローに、記録紙排出口１５から排紙トレイ１７に排出される記録紙Ｓが接触し、記録紙Ｓは除電される。
【００６１】
ステップＳ３にて、ＣＰＵ９１０は排紙センサ８４０からの後端検知信号の発信を待つ。後端検知信号は排紙センサ８４０が、排出される記録紙の後端を検知したとき発信される。後端検知信号の発信を確認した（ステップＳ３  Ｙｅｓ）とき、ステップＳ４に移行する。排紙センサ８４０に後端を検知された記録紙は、記録紙排出口１５から放出され、排紙トレイ１７に載置される。
【００６２】
続くステップＳ４にては、ステップＳ３にて後端が検知された記録紙が、ジョブに基づく最終紙であるか否かを確認する。排出した記録紙がジョブに基づく最終紙であるか否かは、ステップＳ１にて入力されたジョブ情報における記録紙の枚数と、画像形成装置１０が画像形成を行い順次排出した記録紙の数数の合計とから判断される。
【００６３】
記録紙が、ジョブに基づく最終紙ではない（ステップＳ４  Ｎｏ）ときは、ステップＳ２に戻り、ステップＳ２〜ステップＳ４までの工程を、排出した記録紙が、ジョブに基づく最終紙となるまで繰り返す。
【００６４】
記録紙が、ジョブに基づく最終紙である（ステップＳ４  Ｙｅｓ）ときは、ステップＳ５に移行する。
【００６５】
ステップＳ５にて、ＣＰＵ９１０は、画像形成装置１０の画像形成動作を終了させる。すなわち、原稿読み取り部１００、画像処理部２００、画像書き込み部３００、画像形成部４００、転写部５００、給紙搬送部７００、定着部６００の動作を停止させる。また、イオン発生器８１０の動作も停止させる。
【００６６】
続くステップＳ６にては、画像形成装置の装置内の温度に基づいて温度センサ８３０から発信される装置内の温度情報と、ＲＯＭ９２０に収納されている閾値ｔとを比較し、装置内の温度が閾値ｔ以下か否かを確認する。装置内の温度が閾値ｔ以下でない（ステップＳ６  Ｎｏ）ときはその状態で待機し、装置内の温度が閾値ｔ以下である（ステップＳ６  Ｙｅｓ）ときステップＳ７に移行する。
【００６７】
ステップＳ７にては、ファン８２０をＯＦＦさせて、一連の動作を終了させる。
【００６８】
このように、ジョブ情報に基づく画像形成を実行する間、ファン８２０とイオン発生器８１０を動作させることにより、空気放出口１１からイオンを含むエアフローが放出され、エアフローに記録紙排出口１５から排出される記録紙Ｓが接触し、除電される。
【００６９】
本実施の形態による画像形成装置１０は、除電用ブラシを必要とせず、イオンを含むエアフローに記録紙Ｓを接触させて除電を行う。したがって除電用ブラシにより除電を行うときような、記録紙と除電用ブラシの摺擦による騒音を発生させることがなく、また、ブラシの摩耗や抜けがないので、メンテナンスを頻繁に行う必要がない。
【００７０】
そして、イオンを含むエアフローの形成、画像形成装置１０の装置内を所定の温度範囲に保つためのファン８２０を使用するので、イオンを含むエアフローの形成に専用の送風手段を必要としない。したがって、画像形成装置１０の構造を簡素なものにすることができるとともに、除電に係る消費電力を小さいものにすることができる。
【００７１】
以上述べた実施の形態１においては、イオン発生器８１０の動作の開始を、画像形成装置１０における画像形成の実行開始に合わせて行うものであったが、イオン発生器８１０を、画像形成における記録紙の排出に合わせて動作させるようにしても良い。
＜実施の形態２＞
図４は、イオン発生器８１０を、画像形成がなされた記録紙の排出に合わせて動作させる流れを説明するフローチャートである。
【００７２】
図４に示されるように、ＣＰＵ９１０は、ステップＳ１０１にて、ユーザにより操作表示部９０からジョブ情報の入力がなされ、スタートボタンがＯＮされると、ステップＳ１０２に移行し画像形成を開始する。入力されるジョブ情報には、少なくとも、画像形成を行い出力する記録紙の枚数が含まれる。
【００７３】
ステップＳ１０２にて、ＣＰＵ９１０は、入力されたジョブ情報に基づいて、原稿読み取り部１００、画像処理部２００、画像書き込み部３００、画像形成部４００、転写部５００、給紙搬送部７００、定着部６００を動作させて、入力されたジョブ情報に基づく画像形成を行い、画像形成がなされた記録紙を排紙トレイ１７に排出する。また、画像形成を開始とともにファン８２０を動作させる。ファン８２０の動作により、装置内の空気が空気放出口１１から排紙トレイ１７に向かうエアフローとして放出される。
【００７４】
ステップＳ１０３にて、ＣＰＵ９１０は排紙センサ８４０からの先端検知信号の発信を待つ。先端検知信号は排紙センサ８４０が、画像形成され排出される記録紙Ｓの先端を検知したとき発信される。先端検知信号の発信を確認した（ステップＳ１０３  Ｙｅｓ）とき、ステップＳ１０４に移行する。
【００７５】
ステップＳ１０４にては、ＣＰＵ９１０はイオン発生器８１０を動作させる。イオン発生器８１０が動作することにより、ファン８２０により形成された空気放出口１１から排紙トレイ１７に向かうエアフローにイオンが含まれるようになる。
【００７６】
排紙センサ８４０に先端を検知された記録紙は、記録紙排出口１５から排出され排紙トレイ１７に載置されるが、その過程で空気放出口１１から放出されるイオンを含むエアフローに接触し、除電される。
【００７７】
続くステップＳ１０５にて、ＣＰＵ９１０は排紙センサ８４０からの後端検知信号の発信を待つ。後端検知信号は排紙センサ８４０が、画像形成され排出される記録紙Ｓの後端を検知したとき発信される。後端検知信号の発信を確認した（ステップＳ１０５  Ｙｅｓ）とき、ステップＳ１０６に移行する。排紙センサ８４０に後端を検知された記録紙は、記録紙排出口１５から放出され、排紙トレイ１７に載置される。
【００７８】
続くステップＳ１０６では、イオン発生器８１０の動作を停止させ、ステップＳ１０７に移行する。
【００７９】
ステップＳ１０７にて、ＣＰＵ９１０は後端が検知された記録紙が、ジョブに基づく最終紙であるか否かを確認する。排出した記録紙がジョブに基づく最終紙であるか否かは、ステップＳ１０１にて入力されたジョブ情報における記録紙の枚数と、画像形成装置１０が画像形成を行い順次排出した記録紙の枚数の合計とから判断される。
【００８０】
記録紙が、ジョブに基づく最終紙ではない（ステップＳ１０７  Ｎｏ）ときは、ステップＳ１０２に戻り、ステップＳ１０２〜ステップＳ１０７までの工程を、排出した記録紙が、ジョブに基づく最終紙となるまで繰り返す。
【００８１】
記録紙が、ジョブに基づく最終紙である（ステップＳ１０７  Ｙｅｓ）ときは、ステップＳ１０８に移行する。
【００８２】
ステップＳ１０８にて、ＣＰＵ９１０は、画像形成装置１０の画像形成動作を終了させる。すなわち、原稿読み取り部１００、画像処理部２００、画像書き込み部３００、画像形成部４００、転写部５００、給紙搬送部７００、定着部６００の動作を停止させる。
【００８３】
続くステップＳ１０９にては、画像形成装置の装置内の温度に基づいて温度センサ８３０から発信される装置内の温度情報と、ＲＯＭ９２０に収納されている閾値ｔとを比較し、装置内の温度が閾値ｔ以下か否かを確認する。装置内温度が閾値ｔ以下でない（ステップＳ１０９  Ｎｏ）ときはその状態で待機し、装置内の温度が閾値ｔ以下である（ステップＳ１０９  Ｙｅｓ）ときステップＳ１１０に移行する。
【００８４】
ステップＳ１１０にては、ファン８２０をＯＦＦさせて、一連の動作を終了させる。
【００８５】
このように、イオン発生器８１０を、画像形成がなされた記録紙の排出に合わせて動作させることによりイオン発生器８１０の動作を短時間とすることができ、少ない電力で記録紙Ｓの除電を行うことができる。
【図面の簡単な説明】
【００８６】
【図１】本発明の実施の形態の一例である画像形成装置を説明する図である。
【図２】画像形成装置１０の制御系を示すブロック図である。
【図３】ＣＰＵ９１０によりなされるイオン発生器８１０とファン８２０の動作の流れを説明するフローチャートである。
【図４】イオン発生器８１０を、画像形成がなされた記録紙の排出に合わせて動作させる流れを説明するフローチャートである。
【符号の説明】
【００８７】
１０  画像形成装置
１１  空気放出口
１２  空気取り入れ口
１５  記録紙排出口
１７  排紙トレイ
９０  操作表示部
１００  原稿読み取り部
２００  画像処理部
３００  画像書き込み部
４００  画像形成部
５００  転写部
６００  定着部
７００  給紙搬送部
８１０  イオン発生器
８２０  ファン
８３０  温度センサ
８４０  排紙センサ
９００  制御部
Ｓ  記録紙
【図１】
2010139710.tif 000003
【図２】
2010139710.tif 000004
【図３】
2010139710.tif 000005
【図４】
2010139710.tif 000006